【手続補正書】
【提出日】平成16年9月7日(2004.9.7)
【手続補正１】
【補正対象書類名】明細書
【補正対象項目名】請求項３
【補正方法】変更
【補正の内容】
【請求項３】
前記画像処理の情報が、施した画像処理の種類、画像処理の順序および画像処理条件の少なくとも１つを含む請求項１または２に記載のプリントシステム。
【手続補正２】
【補正対象書類名】明細書
【補正対象項目名】００１０
【補正方法】変更
【補正の内容】
【００１０】
また、本発明は、原画像に画像処理を施して、前記原画像を再生したプリントを出力するプリントシステムに用いられる再注文用紙であって、１件の原画像とこの１件における各原画像の情報とを記録したことを特徴とする再注文用紙を提供するものである。
ここで、さらに、前記１件のプリント作成に対する識別情報を記録したものであるのが好ましい。
【手続補正３】
【補正対象書類名】明細書
【補正対象項目名】００３７
【補正方法】変更
【補正の内容】
【００３７】
パラメータ統合部７２は、セットアップ部６４が設定した画像処理条件を受け取り、供給された画像処理条件をプレスキャン処理部５０および本スキャン処理部５２の所定部位（ハードウエア）に設定し、さらに、キー補正部７０で算出された画像補正量に応じて、各部位に設定した画像処理条件を調整し、および／または、この画像補正を行う処理条件を算出して、プレスキャン処理部５０および本スキャン処理部５２の所定部位に設定する。
さらに、パラメータ統合部７２は、同時プリントの際に、識別情報取得部６６から供給されるプリント１件の識別情報、この１件における各コマの情報、およびそのコマの画像処理の情報を記憶手段６８に送り記憶させ、また、識別情報を第２データ変換部６３に送る。他方、再プリントの際には、識別情報取得部６６が取得した識別情報等を用いて、記憶手段６８を検索して再プリントするコマの画像処理の情報を読み出し、セットアップ部６４に供給する。
なお、各コマの情報としては、フィルムＦには通常各コマにコマ番号が記録されているので、それを用いればよく、あるいはコマ番号の代わりにＤＸコード、拡張ＤＸコード、ＦＮＳコード等を利用してもよく、例えばスキャナ１２（キャリア３０）によるカウント、オペレータによる入力、キャリア３０による前記各種のコードの読み取り等によって、コマ番号（各コード）を取得すればよい。
【手続補正４】
【補正対象書類名】明細書
【補正対象項目名】００３９
【補正方法】変更
【補正の内容】
【００３９】
また、ラボ業者（ラボ店）で、顧客のＩＤや同時プリント依頼日、処理件数データ等を管理しておけば、これらの組み合わせからフィルムＦ本体を特定することができるので、これらを適宜組み合わせて、フィルムＦの識別情報として用いてもよい。
あるいは、（デジタル）フォトプリンタにおいては、画像データをファイルとしてフロッピーディスク等の記録媒体に保存することもできるので、この画像ファイル名を識別情報として利用してもよい。
【手続補正５】
【補正対象書類名】明細書
【補正対象項目名】００４８
【補正方法】変更
【補正の内容】
【００４８】
次いで、光源２４の光量等、スキャナ１２が所定の状態であることが確認されて、オペレータによってプリント開始の指示が出されると、各コマのプリント処理が行われる（ステップ２０４）。
すなわち、スキャナ１２の可変絞り２６の絞り値やイメージセンサ（ラインＣＣＤセンサ）３４の蓄積時間がプレスキャンの読取条件に応じて設定され、その後、キャリア３０がフィルムＦをプレスキャンに応じた速度で副走査方向に搬送して、プレスキャンが開始され、前述のように所定の読取位置において、フィルムＦがスリット走査されて投影光がイメージセンサ３４に結像して、フィルムＦに撮影された画像がＲ，ＧおよびＢに分解されて光電的に読み取られる。
【手続補正６】
【補正対象書類名】明細書
【補正対象項目名】００５４
【補正方法】変更
【補正の内容】
【００５４】
オペレータは、ディスプレイ２０に表示される画像が適正であると判定（検定ＯＫ）すると、キーボード１８ａ等を用いてプリント開始を指示する。
これにより、画像処理条件が確定し、本スキャンが開始される。
本スキャンは、可変絞り２６の絞り値等の読取条件が設定された本スキャンの読取条件となる以外はプレスキャンと同様に行われ、イメージセンサ３４からの出力信号はアンプ３６で増幅されて、Ａ／Ｄ変換器３８でデジタル信号とされ、処理装置１４のデータ処理部４２で処理されて、Ｌｏｇ変換器４４で本スキャンデータとされ、本スキャンメモリ４８に記憶される。
次いで、本スキャンメモリ４８から本スキャンデータが読み出され、本スキャン処理部５２の画像処理部６０およびデータ変換部６２において、確定された条件で処理されてプリンタ１６による画像記録に応じた画像データに変換され、プリンタ１６に送られ、プリントが作成される。
【手続補正７】
【補正対象書類名】明細書
【補正対象項目名】００５８
【補正方法】変更
【補正の内容】
【００５８】
このようにして、この１件すなわちフィルムＦに撮影された全コマの処理（プリンタ１６への画像データの出力）が終了すると、第２データ変換部６３は、記憶している各コマの画像データを再注文用紙プリンタ２２での画像記録に対応する画像データに変換すると共に、再注文用紙上における各コマの対応位置に割り振り、さらに、取得したこの件のＩＤ番号、あるいはさらにＩＤ番号をバーコード化して、それぞれの画像データを所定位置に組み込んで、図４に示されるような、再注文用紙の画像データを作成する。
作成された画像データは、再注文用紙プリンタ２２に送られ、再注文用紙プリンタ２２によって再注文用紙が出力され、プリンタ１６から出力されたプリントと共に顧客に供給される。
【手続補正８】
【補正対象書類名】明細書
【補正対象項目名】００６４
【補正方法】変更
【補正の内容】
【００６４】
パラメータ統合部７２は、この画像処理条件等を本スキャン処理部５２の画像処理部６０に設定する。
基本的に、再プリントの場合には、これで画像処理条件が確定し、本スキャンが開始される。本スキャンも、同時プリントと同様に行われ、スキャナ１２は、設定された本スキャンの読取条件の基、画像読取を行い、イメージセンサ３４の出力信号がアンプ３６で増幅されて、Ａ／Ｄ変換器３８でデジタル信号とされ、データ処理部４２およびＬｏｇ変換器４４で処理されて、本スキャンデータとして本スキャンメモリ４８に記憶される。
本スキャンデータが本スキャンメモリ４８に記憶されると、本スキャン処理部５２に読み出され、確定した画像処理条件のもと画像処理部６０で処理され、データ変換部６２で変換されて、出力用の画像データとされてプリンタ１６に出力され、同様に、これを再現したプリントが出力される。
【手続補正９】
【補正対象書類名】明細書
【補正対象項目名】符号の説明
【補正方法】変更
【補正の内容】
【符号の説明】
１０  （デジタル）フォトプリンタ
１２  スキャナ
１４  画像処理装置
１６  プリンタ
１８  操作系
１８ａ  キーボード
１８ｂ  マウス
２０  ディスプレイ
２２  再注文用紙プリンタ
２４  光源
２６  可変絞り
２８  拡散ボックス
３２  結像レンズユニット
３４  ＣＣＤセンサ
３６  アンプ
３８  Ａ／Ｄ変換器
４０  マスク
４２  データ処理部
４４  Ｌｏｇ変換器
４６  プレスキャン（フレーム）メモリ
４８  本スキャン（フレーム）メモリ
５０  プレスキャン処理部
５２  本スキャン処理部
５４  条件設定部
５６，６０  画像処理部
５８，６２  データ変換部
６３  第２データ変換部
６４  セットアップ部
６６  識別情報取得部
６８  記憶手段
７０  キー補正部
７２  パラメータ統合部
ＩＮＤ  インデックス画像
ＣＯＬ  再注文枚数書き込み欄
ＩＤＢ，ＩＤＮ  識別情報
【手続補正１０】
【補正対象書類名】図面
【補正対象項目名】図５
【補正方法】変更
【補正の内容】
【図５】
2000098506.tif 000001
【手続補正１１】
【補正対象書類名】図面
【補正対象項目名】図６
【補正方法】変更
【補正の内容】
【図６】
2000098506.tif 000002